(57)【特許請求の範囲】
【請求項１】
便器の洗浄水タンクに洗浄水を供給する洗浄水供給装置であって、
外部の給水源に上流側が接続されて洗浄水タンクの底面から上方に延びる給水管と、この給水管から供給される洗浄水の洗浄水タンク内への給水及び止水を切り替え可能に上記給水管に設けられた給水弁と、を備えた給水部と、
この給水部に嵌合されて洗浄水を貯水する貯水部と、
この貯水部の底面に形成された開口を開閉する開閉弁と、
上記貯水部内に設けられ、上記開閉弁が開閉することにより上記貯水部内の水位が変動し、この貯水部内の水位の変動に応じて上下動するフロートと、
一方が上記フロートに接続されると共に他方が上記給水部の給水弁に接続され、上記フロートが上下動することにより、上記給水弁の近傍の支点を中心に揺動して上記給水弁を開閉させる揺動部材と、を有し、
上記貯水部は、その鉛直方向の最大長さが水平方向の最大長さよりも所定量短くなるような扁平形状に形成され、
上記給水弁が上記給水管の上方且つ上記フロートとは反対側の側方に設けられていることにより、上記給水弁の近傍の支点から上記揺動部材と上記フロートとの力点までの距離（Ｌ１）と、上記給水弁の近傍の支点から上記揺動部材と上記給水弁との作用点までの距離（Ｌ２）との比（てこ比Ｌ１／Ｌ２）は、所定値以上に設定されていることを特徴とする洗浄水供給装置。
【請求項２】
上記開閉弁は、上記洗浄水タンク内の洗浄水の水位によって上下動可能に水よりも比重が小さい材料で形成されている請求項１記載の洗浄水供給装置。
【請求項３】
上記貯水部の底面には、上記開口以外に洗浄水を排出するための小穴が形成されている請求項１又は２に記載の洗浄水供給装置。
【請求項４】
上記開閉弁は、その中央部に上下方向に貫く小穴が形成されている請求項１又は２に記載の洗浄水供給装置。
【請求項５】
上記貯水部は、上記洗浄水タンクに取り付けた状態の上記給水管の側方に着脱可能に取り付けられている請求項１乃至４の何れか１項に記載の洗浄水供給装置。
【請求項６】
上記給水管は、その側面から外側に突出し且つ上記給水管の所定高さの位置から上方に延びるように形成された凸部を備え、上記貯水部は、上記給水管の側面に嵌合する嵌合部を備え、この嵌合部における上記給水管の側面と対向する面は、上記給水管の凸部と嵌合可能に凹状に形成され且つ上下方向に延びるように形成された凹部を備えている請求項１乃至５の何れか１項に記載の洗浄水供給装置。
【請求項７】
上記給水管は、その側面から内側に凹み且つ上記給水管の所定高さの位置から上方に延びるように形成された凹部を備え、上記貯水部は、上記給水管の側面に嵌合する嵌合部を備え、この嵌合部における上記給水管の側面と対向する面は、上記給水管の凹部と嵌合可能に凸状に形成され且つ上下方向に延びるように形成された凸部を備えている請求項１乃至５の何れか１項に記載の洗浄水供給装置。
【請求項８】
上記貯水部は、上記給水管に嵌合させた状態で上記給水管の外周面を部分的に取り囲むように形成され且つ洗浄水を収容するための上記貯水部内の形状が平面視で概ねコの字状に形成され、上記フロートは、上記貯水部内の形状に合わせるように形成されている請求項５乃至７の何れか１項に記載の洗浄水供給装置。
【請求項９】
請求項１乃至８の何れか１項に記載の洗浄水供給装置を備えたことを特徴とする洗浄水タンク装置。
【請求項１０】
上記請求項９記載の洗浄水タンク装置を備えたことを特徴とする水洗大便器。
【発明の詳細な説明】
【技術分野】
【０００１】
本発明は、洗浄水供給装置、この洗浄水供給装置を備えた洗浄水タンク装置、及び、この洗浄水タンク装置を備えた水洗大便器に係り、特に、便器の洗浄水タンクに洗浄水を供給する洗浄水供給装置、この洗浄水供給装置を備えた洗浄水タンク装置、及び、この洗浄水タンク装置を備えた水洗大便器に関する。
【背景技術】
【０００２】
従来から、便器の洗浄水タンクに洗浄水を供給する洗浄水供給装置として、例えば、特許文献１に記載されているように、桶状に形成され且つその底面に開口が形成された貯水部である小タンクと、この小タンク内に設けられたフロートを備え、小タンク内に貯められた洗浄水が開口から排水されることにより小タンク内の水位がフロートと共に下降し、それと連動して給水弁が開弁するものが知られている。
【先行技術文献】
【特許文献】
【０００３】
【特許文献１】特開２０１１−６４００９号公報
【発明の概要】
【発明が解決しようとする課題】
【０００４】
しかしながら、このような特許文献１に記載されている従来の洗浄水供給装置においては、洗浄水タンク内の水位が小タンク底面の開口位置よりも下降しなければ、小タンク内に貯められている洗浄水を排出することができず、洗浄水タンク内の水位が小タンク底面の開口位置よりも上方にあるときには、給水弁を開弁させて給水を行おうとしても、給水弁が開弁することができないという問題がある。また、洗浄水タンク内の洗浄水の排水が開始されてから洗浄水供給装置による洗浄水タンクへの洗浄水の給水が開始されるまでの時間（遅延時間）が長引くと、使用者が洗浄水供給装置の故障として誤解してしまう可能性があるという問題もある。
さらに、近年の便器洗浄に使用する洗浄水の節水化に伴い、洗浄水タンク内に貯水される洗浄水量が少なく設定されているため、洗浄水タンク内の洗浄水の止水水位から排水完了後の死水水位（ＤＷＬ）までの水位の高低差も小さくなり、このような洗浄水タンク内の限られた洗浄水量の高低差の状況下で給水弁による開閉動作（給水・止水動作）をいかに安定して行うかが、要請された課題となっている。
【０００５】
そこで、本発明は、上述した従来技術の問題点と課題を解決するためになされたものであり、貯水部内の洗浄水を安定して排出することができ、信頼性のある洗浄水供給装置を提供することを目的としている。
【課題を解決するための手段】
【０００６】
上記の目的を達成するために、本発明は、便器の洗浄水タンクに洗浄水を供給する洗浄水供給装置であって、外部の給水源に上流側が接続されて洗浄水タンクの底面から上方に延びる給水管と、この給水管から供給される洗浄水の洗浄水タンク内への給水及び止水を切り替え可能に上記給水管に設けられた給水弁と、を備えた給水部と、この給水部に嵌合されて洗浄水を貯水する貯水部と、この貯水部の底面に形成された開口を開閉する開閉弁と、上記貯水部内に設けられ、上記開閉弁が開閉することにより上記貯水部内の水位が変動し、この貯水部内の水位の変動に応じて上下動するフロートと、一方が上記フロートに接続されると共に他方が上記給水部の給水弁に接続され、上記フロートが上下動することにより、上記給水弁の近傍の支点を中心に揺動して上記給水弁を開閉させる揺動部材と、を有し、上記貯水部は、その鉛直方向の最大長さが水平方向の最大長さよりも所定量短くなるような扁平形状に形成され、上記給水弁が上記給水管の上方且つ上記フロートとは反対側の側方に設けられていることにより、上記給水弁の近傍の支点から上記揺動部材と上記フロートとの力点までの距離（Ｌ１）と、上記給水弁の近傍の支点から上記揺動部材と上記給水弁との作用点までの距離（Ｌ２）との比（てこ比Ｌ１／Ｌ２）は、所定値以上に設定されていることを特徴としている。
このように構成された本発明においては、便器の洗浄に使用する洗浄水量の節水化を行うために洗浄水タンク内の止水水位と死水水位との高低差を比較的小さく設定したとしても、貯水部について、その鉛直方向の最大長さが水平方向の最大長さよりも所定量短くなるような扁平形状に形成されているため、立方形状等の非扁平形状に比べて貯水部内の洗浄水を安定して排出することができ、信頼性のある洗浄水供給装置を提供することができる。また、貯水部が扁平形状であるために、給水部から洗浄水タンクへの給水後に貯水部内の水位高さを確保できず、貯水部内の水位によるフロートを上昇させる浮力が得られにくい状況下であっても、給水弁を給水管の上方且つフロートとは反対側の側方に設けることにより、給水弁の近傍の支点から揺動部材とフロートとの力点までの距離（Ｌ１）を十分に確保することができ、この距離（Ｌ１）と、給水弁の近傍の支点から揺動部材と給水弁との作用点までの距離（Ｌ２）との比（てこ比Ｌ１／Ｌ２）を所定値以上に設定することができるため、貯水部内の水位によるフロートを上昇させる浮力が比較的小さく、揺動部材とフロートとの接続部（力点）に作用する力が比較的小さくても、揺動部材が給水弁の近傍の支点を中心に容易に揺動して給水弁を迅速に閉弁させることができる。したがって、洗浄水タンク内の止水水位と死水水位との高低差をより小さく設定することができ、便器の洗浄に要する洗浄水量をより少なく設定することができる。
【０００７】
本発明において、好ましくは、上記開閉弁は、上記洗浄水タンク内の洗浄水の水位によって上下動可能に水よりも比重が小さい材料で形成されている。
このように構成された本発明においては、開閉弁自体が水よりも比重が小さい材料で形成されているため、洗浄水タンク内の洗浄水の水位に応じて安定して上下動することができ、貯水部の開口を安定して開閉することができる。また、開閉弁を上昇させる浮力を生じさせる空気を溜めるスペースが不要となるため、開閉弁の上下方向の大きさを抑制することができる。さらに、洗浄水タンクの水位が上昇したときには、この洗浄水タンクの水位により開閉弁が浮力により貯水部の開口を迅速に閉鎖し、洗浄水タンクの水位が貯水部の上縁を乗り越えて洗浄水が貯水部内に流入する直前まで貯水部内を空室にしてフロートを下降させた状態にすることができ、洗浄水が貯水部の上縁を乗り越えて洗浄水が貯水部内に流入したときに、フロートを迅速に上昇させて給水弁を速やかに止水することができる。
【０００８】
本発明において、好ましくは、上記貯水部の底面には、上記開口以外に洗浄水を排出するための小穴が形成されている。
このように構成された本発明においては、貯水部の底面に開口以外に洗浄水を排出するための小穴が形成されているため、貯水部内の洗浄水を開口及び小穴から速やかに流出させることができ、貯水部の底面に小穴が形成されていないものに比べて、開口を開放するための開閉弁の移動距離を小さくすることができ、開閉弁が僅かに下降するだけで貯水部内の洗浄水を安定して排出することができる。したがって、信頼性のある洗浄水供給装置を提供することができる。
【０００９】
本発明において、好ましくは、上記開閉弁は、その中央部に上下方向に貫く小穴が形成されていてもよい。
このように構成された本発明においては、開閉弁の中央部に上下方向に貫く小穴が形成されているため、貯水部内の洗浄水を開口を経て開閉弁の小穴からも速やかに流出させることができ、開閉弁に小穴が形成されていないものに比べて、開口を開放するための開閉弁の移動距離を小さくすることができ、開閉弁が僅かに下降するだけで貯水部内の洗浄水を安定して排出することができる。したがって、信頼性のある洗浄水供給装置を提供することができる。
【００１０】
本発明において、好ましくは、上記貯水部は、上記洗浄水タンクに取り付けた状態の上記給水管の側方に着脱可能に取り付けられている。
このように構成された本発明においては、洗浄水タンクに取り付けた状態の給水管の側方に貯水部を着脱可能に取り付けることができるため、容積が異なる貯水部を複数用意し、洗浄水タンク内の洗浄水量に合わせた貯水部に付け替えることができるため、貯水部内の洗浄水を安定して排出することができ、信頼性のある洗浄水供給装置を提供することができる。
【００１１】
本発明において、好ましくは、上記給水管は、その側面から外側に突出し且つ上記給水管の所定高さの位置から上方に延びるように形成された凸部を備え、上記貯水部は、上記給水管の側面に嵌合する嵌合部を備え、この嵌合部における上記給水管の側面と対向する面は、上記給水管の凸部と嵌合可能に凹状に形成され且つ上下方向に延びるように形成された凹部を備えている。
このように構成された本発明においては、貯水部を給水管に嵌合させる際に、貯水部を給水管の所定高さの位置よりも下方且つ側方から給水管に取り付けて上方へ持ち上げることにより、給水管の凸部と貯水部の嵌合部の凹部とが互いに嵌合することができるため、簡単な構造で洗浄水タンク内の洗浄水量に合わせた貯水部に取り替えることができる。したがって、貯水部内の洗浄水を安定して排出することができ、信頼性のある洗浄水供給装置を提供することができる。
【００１２】
本発明において、好ましくは、上記給水管は、その側面から内側に凹み且つ上記給水管の所定高さの位置から上方に延びるように形成された凹部を備え、上記貯水部は、上記給水管の側面に嵌合する嵌合部を備え、この嵌合部における上記給水管の側面と対向する面は、上記給水管の凹部と嵌合可能に凸状に形成され且つ上下方向に延びるように形成された凸部を備えていてもよい。
このように構成された本発明においては、貯水部を給水管に嵌合させる際に、貯水部を給水管の所定高さの位置よりも下方且つ側方から給水管に取り付けて上方へ持ち上げることにより、給水管の凹部と貯水部の嵌合部の凸部とが互いに嵌合することができるため、簡単な構造で洗浄水タンク内の洗浄水量に合わせた貯水部に取り替えることができる。したがって、貯水部内の洗浄水を安定して排出することができ、信頼性のある洗浄水供給装置を提供することができる。
【００１３】
本発明において、好ましくは、上記貯水部は、上記給水管に嵌合させた状態で上記給水管の外周面を部分的に取り囲むように形成され且つ洗浄水を収容するための上記貯水部内の形状が平面視で概ねコの字状に形成され、上記フロートは、上記貯水部内の形状に合わせるように形成されている。
このように構成された本発明においては、貯水部を給水管に嵌合させた状態で給水管の外周面を部分的に取り囲むように形成することにより、貯水部の鉛直方向の高さを低く設定することができると共に、給水管に着脱可能に取り付けることができる。また、貯水部の鉛直方向の高さを低く設定して、貯水部の鉛直方向の最大長さが水平方向の最大長さよりも所定量短くなるような扁平形状にするだけでは、貯水部内の水位の高さが相対的に低くなるため、フロートの浮力が得られにくくなるが、貯水部内の形状を平面視で概ねコの字状に形成すると共に、フロートを貯水部内の形状に合わせるように形成することにより、フロートの受圧面積を大きくして浮力を増すことができる。したがって、フロートを安定して上昇させて給水弁を安定して止水することができ、信頼性のある洗浄水供給装置を提供することができる。
【００１４】
つぎに、本発明は、上記洗浄水供給装置を備えたことと特徴とする洗浄水タンク装置である。
このように構成された本発明においては、信頼性のある洗浄水タンク装置を提供することができる。
【００１５】
つぎに、本発明は、上記洗浄水タンク装置を備えたことを特徴とする水洗大便器である。
このように構成された本発明においては、信頼性のある水洗大便器を提供することができる。
【発明の効果】
【００１６】
本発明の洗浄水供給装置によれば、貯水部内の洗浄水を安定して排出することができ、信頼性を確保することができる。
【図面の簡単な説明】
【００１７】
【図１】本発明の第１実施形態による洗浄水供給装置を備えた洗浄水タンク装置が適用された水洗大便器において、便座及び便蓋を取り外した状態を示す斜視図である。
【図２】本発明の第１実施形態による洗浄水供給装置を備えた洗浄水タンク装置の内部構造を示す正面断面図である。
【図３】本発明の第１実施形態による洗浄水供給装置を示す分解斜視図である。
【図４】本発明の第１実施形態による洗浄水供給装置を示す正面断面図である。
【図５】本発明の第１実施形態による給水時（開弁時）の状態の洗浄水供給装置について部分的に拡大した部分拡大断面図である。
【図６】本発明の第１実施形態による止水時（閉弁時）の状態の洗浄水供給装置について部分的に拡大した部分拡大断面図である。
【図７】本発明の第１実施形態による洗浄水供給装置の給水管、小タンク及びフロートを示す平面断面図である。
【図８】本発明の第１実施形態による洗浄水供給装置の小タンクの平面図である。
【図９】図７に示す本発明の第１実施形態による洗浄水供給装置において給水管と小フロートとの嵌合部を拡大した部分拡大断面図である。
【図１０】本発明の第１実施形態による洗浄水供給装置の小タンクの正面図である。
【図１１】図８のＸＩ−ＸＩ線に沿った断面図である。
【図１２】本発明の第１実施形態による洗浄水供給装置の逆止弁を示す平面図である。
【図１３】本発明の第１実施形態による洗浄水供給装置の逆止弁を示す正面断面図である。
【図１４】本発明の第２実施形態による洗浄水供給装置の小タンクにおける図１１と同様な断面図である。
【図１５】本発明の第２実施形態による洗浄水供給装置の逆止弁を示す平面図である。
【図１６】本発明の第２実施形態による洗浄水供給装置の逆止弁を示す正面断面図である。
【図１７】本発明の第３実施形態による洗浄水供給装置において給水管と小フロートとの嵌合部を拡大した部分拡大断面図である。
【発明を実施するための形態】
【００１８】
つぎに、添付図面により、本発明の第１実施形態による排水弁装置、この排水弁装置を備えた洗浄水タンク装置、及び、この洗浄水タンク装置を備えた水洗大便器について説明する。
まず、図１により、本発明の第１実施形態による洗浄水供給装置を備えた洗浄水タンク装置が適用された水洗便器について説明する。
図１は、本発明の第１実施形態による洗浄水供給装置を備えた洗浄水タンク装置が適用された水洗大便器において、便座及び便蓋を取り外した状態を示す斜視図である。
【００１９】
図１に示すように、符号１は、サイホン作用を利用してボウル部内の汚物を吸い込んで排水トラップ管路から一気に外部に排出する、いわゆる、サイホン式の水洗大便器であり、この水洗大便器１は、陶器製の便器本体２を備え、この便器本体２には、ボウル部４と、このボウル部４の下部と連通するトラップ管路６がそれぞれ形成されている。
便器本体２のボウル部４の上縁部には、内側にオーバーハングしたリム８と、便器本体２の後方側の内部に形成される導水路（図示せず）から供給される洗浄水を吐水する第１吐水口１０が形成され、この第１吐水口１０から吐水された洗浄水は、旋回しながら下降してボウル部４を洗浄するようになっている。
【００２０】
ボウル部４の下方には、溜水面が鎖線Ｗ０で示された溜水部１２が形成されている。この溜水部１２の下方には、排水トラップ管路６の入口６ａが開口し、この入口６ａから後方の排水トラップ管路６は排水ソケット（図示せず）を介して床下の排出管（図示せず）に接続されている。
また、ボウル部４の溜水面Ｗ０の上方位置には、便器本体２の後方側の内部に形成される導水路（図示せず）から供給される洗浄水を吐水する第２吐水口１４が形成され、この第２吐水口１４から吐水される洗浄水が溜水部１２の溜水を上下方向に旋回させる旋回流を生じさせるようになっている。
【００２１】
便器本体２の後方側の上面には、便器本体２に供給する洗浄水を貯水する洗浄水タンク装置１６が設けられている。
なお、本実施形態では、上述したサイホン式の水洗大便器に洗浄水タンク装置１６を適用した例について説明するが、このようなサイホン式の水洗大便器に限定されず、ボウル部内の水の落差による流水作用で汚物を押し流す、いわゆる、洗い落し式の水洗大便器等の他のタイプの水洗便器にも適用可能である。
【００２２】
つぎに、図２により、洗浄水タンク装置１６の内部構造について説明する。
図２は、本発明の第１実施形態による洗浄水供給装置を備えた洗浄水タンク装置の内部構造を示す正面断面図である。なお、図２においては、貯水タンクの満水水位、止水水位及び死水水位のそれぞれをＷＬ０、ＷＬ１及びＤＷＬで示している。また、洗浄水供給装置２２による給水が開始される貯水タンク１８内の水位及び小タンク内の水位のそれぞれをＷＬ２及びｗｌでそれぞれ示している。
図１及び図２に示すように、洗浄水タンク装置１６は、水洗大便器１を洗浄する洗浄水を貯水する貯水タンク１８を備え、この貯水タンク１８の底部には、便器本体２の導水路（図示せず）と連通する排水口２０が形成され、貯水タンク１８内の洗浄水が便器本体２の導水路（図示せず）へと供給されるようになっている。また、貯水タンク１８は、便器の種類に応じて、貯水する洗浄水の量が異なっている。
【００２３】
図２に示すように、洗浄水タンク装置１６の貯水タンク１８内には、この貯水タンク１８内に洗浄水を供給する洗浄水供給装置である洗浄水供給装置２２と、貯水タンク１８に貯えられた洗浄水について排水口２０を開放して便器本体２の導水路（図示せず）に流出させる排水弁装置２４が設けられている。
【００２４】
排水弁装置２４の構成については、従来の排水弁装置の構成と同様であるため、具体的な説明は省略するが、貯水タンク１８の外部に取り付けられた操作レバー２６を大洗浄又は小洗浄の所定の洗浄モードを実行させる方向に回動操作を行うことにより、操作レバー２６に連結された操作ワイヤ２８が連動して排水弁装置２４の弁体（図示せず）を引き上げると、排水口２０が所定時間開放され、貯水タンク１８内の洗浄水が便器本体２の導水路（図示せず）に一定量排出されるようになっている。
【００２５】
つぎに、図２〜図１３を参照して、本発明の第１実施形態による洗浄水供給装置の詳細について説明する。
まず、図３は本発明の第１実施形態による洗浄水供給装置を示す分解斜視図であり、図４は本発明の第１実施形態による洗浄水供給装置を示す正面断面図である。なお、図４においては、貯水タンクの満水水位、止水水位及び死水水位のそれぞれをＷＬ０、ＷＬ１及びＤＷＬで示している。また、洗浄水供給装置２２による給水が開始される貯水タンク１８内の水位及び小タンク内の水位のそれぞれをＷＬ２及びｗｌでそれぞれ示している。
また、図５は本発明の第１実施形態による給水時（開弁時）の状態の洗浄水供給装置について部分的に拡大した部分拡大断面図であり、図６は本発明の第１実施形態による止水時（閉弁時）の状態の洗浄水供給装置について部分的に拡大した部分拡大断面図である。
なお、図４及び図５については、一次側給水路及び二次側給水路内の給水の流れを矢印で示している。
【００２６】
図２〜図６に示すように、本発明の第１実施形態による洗浄水供給装置２２は、外部の給水源（図示せず）に接続され且つ貯水タンク１８の底面１８ａから上方に延びる給水管３０と、この給水管３０の上方且つ側方に設けられ且つ給水管３０から給水される洗浄水の貯水タンク１８内への吐水と止水を切り替えるダイアフラム式の給水バルブ３２とを備えている。
また、洗浄水供給装置２２は、給水管３０に着脱可能に取り付けられる小タンク３４と、小タンク３４の底面に形成された開口（図示せず）を開閉する逆止弁３６と、小タンク３４内に設けられて小タンク３４内の水位の変動に応じて上下動するフロート３８と、一方がフロート３８に接続されると共に他方が給水バルブ３２に接続され、フロート３８が上下動することにより、給水バルブ３２の近傍の支点Ｐを中心に揺動して給水バルブ３２を開閉させる揺動部材４０とを備えている。
さらに、洗浄水供給装置２２は、給水管３０の上方且つ側方に固定されて給水管３０に対する小タンク３４の上下方向の位置を調整することができる小フロート位置調整用の固定軸部材４２と、揺動部材４０の先端部とフロート３８とを接続するように取り付けられ、フロート３８のほぼ中央部に形成された取付穴３８ａに螺合されて揺動部材４０の先端部とフロート３８との鉛直方向の相対位置を調整可能な調整用軸部材４４とを備えている。
【００２７】
図２〜図４に示すように、給水管３０は、貯水タンク１８の底面１８ａに取り付けられ、外部の水道等の給水源（図示せず）に接続され、洗浄水を貯水タンク１８内に供給するようになっている。この給水管３０の中心部には、上下方向に延びるように１次側給水路３０ａが形成され、給水管３０の内部且つ１次側給水路３０ａの外側部には、２次側給水路３０ｂが形成され、この２次側給水路３０ｂの下端部に形成された流出口３０ｃから貯水タンク１８内に洗浄水が供給されるようになっている。
【００２８】
また、図３及び図４に示すように、給水管３０の上端部には、その内部に給水路を形成する給水路形成部材４６が設けられ、この給水路形成部材４６の給水路３０内に挿入されている部分の中心部には、給水管３０の１次側給水路３０ａと接続される１次側給水路４６ａが上下方向に延びるように形成されている。
さらに、この給水路形成部材４６の１次側給水路４６ａ内には、給水をろ過するためのフィルター部材４８が取り付けられている。
【００２９】
さらに、図４〜図６に示すように、給水路形成部材４６の上方の内部には、水平方向に延びる中心軸Ａ１を持つ２次側給水路４６ｂが形成され、この２次側給水路４６ｂの下流側は、給水管３０の二次側給水路３０ｂと連通している。
また、給水路形成部材４６の上下方向に延びる１次側給水路４６ａと給水路形成部材４６の水平方向に延びる２次側給水路４６ｂとの間に介在するように、ダイアフラム式の給水バルブ３２が設けられている。
図５及び図６に示すように、給水バルブ３２は、水平方向に延びる中心軸Ａ１を持つバルブハウジング３２ａと、このハブルハウジング３２ａの中心軸Ａ１に取り付けられ且つこの中心軸Ａ１に沿って図５及び図６の左右方向に移動可能なダイアフラム３２ｂと、このダイアフラム３２ｂに取り付けられてバルブハウジング３２ａ内においてダイアフラム３２ｂと共に一体的に図５及び図６の左右方向に移動可能な弁体３２ｃとを備えている。
【００３０】
このダイアフラム３２ｂには、中心軸Ａ１と平行に延びるブリード穴３２ｄが形成され、このブリード穴３２ｄにより、給水路形成部材４６の１次側給水路４６ａとダイアフラム３２ｂの側方側にある背圧室３２ｅとが連通されている。この背圧室３２ｅの側部には、パイロット穴３２ｆが形成されている。
【００３１】
さらに、図５及び図６に示すように、給水バルブ３２のバルブハウジング３２ａの側方には、揺動部材４０がバルブハウジング３２ａの端部に位置する支点Ｐを中心に揺動可能に取り付けられ、この揺動部材４０は、揺動により給水バルブ３２のパイロット穴３２ｆを開閉する弁部材４０ａを備え、この揺動部材４０の弁部材４０ａが給水バルブ３２のパイロット穴３２ｆを開閉することにより、給水バルブ３２による給水及び止水を切り替えることができるようになっている。
なお、図５においては、小タンク３４内の水位がほぼ零となり、フロート３８が最低位置まで下降するように揺動部材４０が支点Ｐを中心に揺動した結果、弁部材４０ａが給水バルブ３２のパイロット穴３２ｆを開放し、弁体３２ｃが図５の左側に移動し、通水路形成部材４６の２次側給水路４６ｂの上流側端部に位置する弁座４６ｃを開放した状態（給水状態）を示している。
一方、図６においては、フロート３８が最高位置まで上昇するように揺動部材４０が支点Ｐを中心に揺動した結果、弁部材４０ａが給水バルブ３２のパイロット穴３２ｆを閉鎖することにより、弁体３２ｃが図５の右側に移動し、２次側給水路４６ｂの上流側端部に位置する弁座４６ｃを閉鎖した状態（止水状態）を示している。
【００３２】
また、図６に示すように、揺動部材４０の支点Ｐからフロート３８の鉛直方向の中心線Ａ２とまでの最短距離（支点Ｐから力点Ｑまでの距離）Ｌ１と、揺動部材４０の支点Ｐからパイロット穴３２ｆの中心線Ａ３までの最短距離（支点Ｐから作用点Ｒまでの距離）Ｌ２との比（以下「てこ比Ｌ１／Ｌ２」）は、所定値以上（例えば、１３．０以上）に設定されており、１５．０〜２０．０に設定するのが好ましく、１５．２〜１６．０に設定するのが最も好ましい。
【００３３】
さらに、本実施形態においては、給水バルブ３２の弁体３２ｃが、図６の水平方向に開口する給水路形成部材４６の弁座４６ｃに対して水平方向に開閉可能に取り付けられ、給水管３０の上方の通水路形成部材４６の側方に設けられている。これにより、便器本体２の洗浄に使用する洗浄水量の節水化を行うために、図２に示すように貯水タンク１８内の満水水位ＷＬ０と死水水位ＤＬＷとの高低差Ｈが比較的小さく設定され、詳細は後述するように図１０に示す小タンク３４が鉛直方向の最大長さｈが水平方向（長手方向）の最大長さｌよりも所定量短くなるような扁平形状に形成されて給水管３０のから貯水タンク１８への給水後の小タンク３４の水位高さを確保できず、図２及び図４に示す小タンク３４内の水位ｗｌ（以下「給水開始水位ｗｌ」）によるフロート３８を上昇させる浮力が得られにくい状況であっても、揺動部材４０の支点Ｐからフロート３８の鉛直方向の中心線Ａ２とまでの最短距離Ｌ１を十分に確保し、てこ比Ｌ１／Ｌ２を所定値以上に設定することができるようになっている。
また、小タンク３４内の水位が上昇した際に、小タンク３４内の水位によるフロート３８を上昇させる浮力が比較的小さく、フロート３８（力点）に作用する上昇力が比較的小さくても、揺動部材４０が支点Ｐを中心に容易に揺動して給水バルブ３２を迅速に閉弁させることができるようになっている。
【００３４】
また、図３、図５及び図６に示すように、通水路形成部材４６の水平方向に延びる２次側給水路４６ｂの上方には、補給水用のハウジング５０が設けられ、この補給水用のハウジング５０の側部には、通水路形成部材４６の２次側給水路４６ｂからハウジング５０内に流入した水の一部を分岐して補給水として貯水タンク１８内に吐水する補給水管５０ａが形成されている。
【００３５】
つぎに、図３及び図５〜図１０を参照して、小タンク３４及びフロート３８の詳細について説明する。
図７は本発明の第１実施形態による洗浄水供給装置の給水管、小タンク及びフロートを示す平面断面図であり、図８は本発明の第１実施形態による洗浄水供給装置の小タンクの平面図であり、図９は図７に示す本発明の第１実施形態による洗浄水供給装置において給水管と小フロートとの嵌合部を拡大した部分拡大断面図である。
【００３６】
図２〜図８に示すように、小タンク３４は、貯水タンク１８に取り付けた状態の給水管３０の側方に着脱可能に取り付けられており、小タンク３４内に収容される洗浄水の容積が異なる小タンクを複数用意することにより、便器洗浄に使用される貯水タンク１８内の洗浄水量に応じて、これに合わせた容積の小タンク３４を適宜に付け替えることができるようになっている。
【００３７】
図３、図４、図７及び図９に示すように、給水管３０は、その側面３０ｄに等間隔を置いて一体に形成されて外側に突出する４つの凸部５２を備え、各凸部５２は、給水管３０における貯水タンク１８の底面１８ａから所定高さａ（図４参照）の位置から給水管３０の上端部まで上下方向に延びるように形成されている。
【００３８】
また、図７〜図９に示すように、小タンク３４は、給水管３０の側面３０ｄの凸部５２に嵌合可能に形成された嵌合部５４を備え、この嵌合部５４は、概ね半円筒状に形成され、小タンク３４を給水管３０の側面３０ｄに取り付けた際に、給水管３０の側面３０ｄのほぼ半周部分を取り囲む図８の平面視で概ねコの字状の面５４ａを形成している。この小タンク３４の嵌合部５４のコの字状の面５４ａにおける給水管３０の側面３０ｄの凸部５２と対向する位置には、給水管３０の凸部５２と嵌合可能に凹状に形成されて上下方向に延びる凹部５６が形成されている。
【００３９】
なお、小タンク３４を給水管３０に取り付ける際には、給水管３０の凸部５２の下端よりも下方に位置し且つ凸部５２が形成されていない給水管３０の区間（図４に示す貯水タンク１８の底面１８ａから所定高さａよりも下方の給水管３０の区間）において、小タンク３４の嵌合部５４を給水管３０の外周のほぼ半分を取り囲むように給水管３０に嵌合させ、給水管３０の凸部５２のほぼ真下に小タンク３４の凹部５６のそれぞれを配置させた後、小タンク３４を上方に持ち上げることにより、給水管３０の凸部５２と小タンク３４の嵌合部５４の凹部５６とが互いに嵌合して小タンク３４が給水管３０に取り付けられるようになっている。
【００４０】
つぎに、図１０は、本発明の第１実施形態による洗浄水供給装置の小タンクの正面図である。
図１０に示すように、小タンク３４は、その鉛直方向の最大長さｈが水平方向（長手方向）の最大長さｗよりも所定量短くなるような概ね横長の扁平形状に形成され、この小タンク３４の鉛直方向の最大長さｈと水平方向（長手方向）の最大長さｌとの比（以下「縦横比ｈ／ｌ」）は、１５．０〜２０．０に設定するのが好ましく、１／２．２５〜１／２．２８に設定するのが最も好ましい。これにより、便器本体２の洗浄に使用する洗浄水量の節水化を行うために、図２に示す貯水タンク１８内の止水水位ＷＬ０と死水水位ＤＷＬとの高低差Ｈを比較的小さく設定したとしても、小タンク３４について、その鉛直方向の最大長さｈが水平方向（長手方向）の最大長さｌよりも所定量長くなるような概ね縦長の扁平形状や、立方形状等の非扁平形状の小タンクに比べ、小タンク３４内の水位の高低差による小タンク３４の上下動を安定化させることができるようになっている。
【００４１】
図３及び図７に示すように、フロート３８は、樹脂材料で形成され、小タンク３４内に収容可能に外周が概ね小タンク３４の内部形状に合わせた形状に形成されている。
また、図５及び図６に示すように、フロート３８の下方のみが開口している形状となっており、フロート３８の内部には、小タンク３４内の洗浄水により浮力を発生させる浮力発生部３８ｂを備えている。
特に、本実施形態では、小タンク３４の鉛直方向の高さを低く設定して、小タンク３４の鉛直方向の最大長さｈが水平方向（長手方向）の最大長さｌよりも所定量短くなるような扁平形状にするのみでは、小タンク３４内の水位の高さが相対的に低くなるため、フロート３８の浮力が得られにくくなるが、フロート３８の外周を小タンク３４の内部形状に合わせた形状にすることにより、フロート３８の浮力発生部３８ｂの受圧面積を大きくして浮力を増すことができるようになっている。
【００４２】
つぎに、図５〜図７、図８及び図１１〜図１３を参照して、逆止弁３６の詳細について説明する。
図１１は図８のＸＩ−ＸＩ線に沿った断面図であり、図１２は本発明の第１実施形態による洗浄水供給装置の逆止弁を示す平面図であり、図１３は本発明の第１実施形態による洗浄水供給装置の逆止弁を示す正面断面図である。
【００４３】
まず、小タンク３４の底面３４ａには、上下方向に貫く小穴３４ｂが形成され、この小穴３４ｂから半径方向外側に所定距離の離間した部分には、逆止弁３６を取り付けるための上下方向に貫く４つの取付穴３４ｃが周方向に等間隔を置いて形成されている。
【００４４】
つぎに、図１２及び図１３に示すように、逆止弁３６は、貯水タンク１８内の洗浄水の水位によって上下動可能に水よりも比重が小さい材料（例えば、樹脂材料等）で形成されており、小タンク３４の小穴３４ｂを開閉可能に小タンク３４の下側に取り付けられて貯水タンク１８内の洗浄水の水位による浮力により上下動することができるようになっている。
より具体的には、逆止弁３６は、小タンク３４の小穴３４ｂを開閉する概ね円板状の弁部３６ａと、この弁部３６ａの上面から上方に延びるように形成されて小タンク３４の各取付穴３４ｃに挿入して取り付けられる４つの支持部３６ｂとを備えている。また、逆止弁３６の各支持部３６ｂが、それぞれに対応する小タンク３４の各取付穴３４ｃに取り付けられた状態では、逆止弁３６が上下動することにより、支持部３６ｂが小タンク３４の取付穴３４ｃに対して上下方向に摺動することになるが、支持部３６ｂの先端部（上端部）が、外側に突出しており、小タンク３４の取付穴３４ｃの位置よりも外側に位置するため、逆止弁３６が小タンク３４に対して最も下方の位置まで下降しても、支持部３６ｂの先端部が小タンク３４の底面３４ａに当接して逆止弁３６が脱落しないようになっている。
【００４５】
また、図５に示すように、逆止弁３６が下降した状態では、小タンク３４内の洗浄水を小タンク３４の小穴３４ｂ及び取付穴３４ｃから速やかに流出させることができるようになっており、小タンク３４の底面３４ａに小穴３４ｂが形成されていないものに比べて、小穴３４ｂ及び取付穴３４ｃを開放するための逆止弁３６の移動距離を小さくすることができ、逆止弁３６が僅かに下降するだけで小タンク３４内の洗浄水を安定して排出することができるようになっている。
【００４６】
さらに、本実施形態の洗浄水供給装置２２の逆止弁３６は、それ自体が水よりも比重が小さい材料（例えば、樹脂材料）で形成されているため、貯水タンク１８内の洗浄水の水位に応じて安定して上下動することができ、小タンク３４の小穴３４ｂを安定して開閉することができるようになっている。また、逆止弁３６が中実に形成されているため、逆止弁３６を上昇させる浮力を生じさせる空気を溜めるスペースが不要となるため、逆止弁３６の上下方向の大きさを抑制することができるようになっている。
さらに、図６に示すように、貯水タンク１８の水位が上昇したときには、この貯水タンク１８の水位により逆止弁３６が浮力により小タンク３４の小穴３４ｂを迅速に閉鎖することができるようになっている。これにより、貯水タンク１８の水位が小タンク３４の上縁３４ｄを乗り越えて洗浄水が小タンク３４内に流入する直前まで小タンク３４内を空室にしてフロート３８を下降させた状態にすることができ、洗浄水が小タンク３４の上縁３４ｄを乗り越えて洗浄水が貯水部内に流入したときに、フロート３８を迅速に上昇させて給水バルブ３２を速やかに止水することができるようになっている。
【００４７】
つぎに、図１〜図２０を参照して、本発明の第１実施形態による洗浄水供給装置、この洗浄水供給装置を備えた洗浄水タンク装置、及び、この洗浄水タンク装置を備えた水洗大便器の動作（作用）を説明する。
なお、以下、本発明の第１実施形態による排水弁装置を備えた洗浄水タンク装置により実行される大洗浄モードと小洗浄モードの２種類の洗浄モードのうち、大洗浄モード時の操作ワイヤ２８による排水弁装置２４の弁体（図示せず）の引き上げ量が小洗浄モード時よりも大きくなり、貯水タンク１８の排水口２０を開放している時間が長い点と、大洗浄モード時の死水水位ＤＷＬが小洗浄モード時よりも低くなる点以外については、大洗浄モードと小洗浄モードの基本動作は共通しているため、大洗浄モードについてのみ説明する。
【００４８】
図２、図４及び図６に示すように、排水弁装置２４の排水開始前の状態では、排水弁装置２４の弁体（図示せず）が排水口２０が閉止しており、貯水タンク１８内の初期水位が満水水位ＷＬ０（図２）となり、フロート部材３８が水没している。
【００４９】
つぎに、図２、図４及び図６に示すように、使用者が操作レバー２６を操作すると、排水弁装置２４が貯水タンク１８の排水口２０を開放し、洗浄水タンク装置１６の排水弁装置２４による水洗大便器１の便器本体２への大洗浄モードの排水が開始され、貯水タンク１８内の水位が低下し始める。このとき、フロート３８は小タンク３４内の洗浄水による浮力により、上昇して静止した状態に維持されている。
【００５０】
つぎに、図２、図４及び図６に示すように、貯水タンク１８内の水位が満水水位ＷＬ０より低下し、洗浄水供給装置２２による給水が開始される貯水タンク１８内の水位ＷＬ２及び小タンク３４内の給水開始水位ｗｌよりも高い水位のときには、フロート３８は依然として上昇して静止した状態に維持され、貯水タンク１８内の水位は止水水位ＷＬ１となり、洗浄水供給装置２２による給水は行われていない。
【００５１】
つぎに、図２及び図４〜図６に示すように、貯水タンク１８内の水位が小タンク３４の底面３４ａの高さ位置とほぼ同一の水位ＷＬ２よりも低下すると、貯水タンク１８内の洗浄水によって逆止弁３６に作用している浮力が逆止弁３６の自重を下回り、逆止弁３６が下降し、小タンク３４の底面３４ａの小穴３４ｂ及び取付穴３４ｃを開放する。
これにより、図５に流れｆで示すように、小タンク３４の底面３４ａの小穴３４ｂ及び取付穴３４ｃの隙間から小タンク３４内の洗浄水が流出し、小タンク３４内の水位が小タンク３４の上縁３４ｄの高さと同一の満水水位から低下し始める。このとき、小タンク３４内の水位が給水開始水位ｗｌに低下するまでは、小タンク３４内の洗浄水によってフロート３８の浮力発生部３８ｂに作用している浮力がフロート３８の自重を上回るため、フロート３８は依然として上昇して静止した状態に維持される。ここで、小タンク３４内の給水開始水位ｗｌは、貯水タンク１８内の水位ＷＬ２よりも高くなっている。
【００５２】
また、小タンク３４内の水位が給水開始水位ｗｌよりも低下すると、フロート３８の浮力発生部３８ｂに作用している浮力がフロート３８の自重を下回るため、フロート３８が下降する。そして、図４及び図５に示すように、フロート３８の下降により揺動部材４０が支点Ｐを中心に揺動し、揺動部材４０の弁部材４０ａが給水バルブ３２のパイロット穴３２ｆを開放し、弁体３２ｃが図５の左側に移動し、通水路形成部材４６の２次側給水路４６ｂの上流側端部に位置する弁座４６ｃが開放した状態（給水状態）となる。これにより、給水管３０の２次側給水路３０ｂの流出口３０ｃから貯水タンク１８内に洗浄水が給水される。
【００５３】
つぎに、図２、図４及び図５に示すように、貯水タンク１８内の水位が死水水位ＤＷＬまで低下すると、排水弁装置２４が貯水タンク１８の排水口２０を閉止する。この間、小タンク３４内の水位は零となり、給水バルブ３２が開放されて洗浄水供給装置２２による貯水タンク１８への給水が継続して行われているため、貯水タンク１８内の水位が死水水位ＤＷＬから上昇する。
そして、貯水タンク１８内の水位が水位ＷＬ２まで上昇すると、逆止弁３６が上昇して小タンク３４の小穴３４ｂ及び取付穴３４ｃを閉止する。
このとき、小タンク３４内の水位は依然として零となっているが、貯水タンク１８内の水位がさらに上昇して小タンク３４の上縁３４ｄを乗り越えて小タンク３４内に流入すると、この小タンク３４内の水位が急激に上昇し、フロート３８を迅速に上昇させて給水バルブ３２を速やかに止水する。
【００５４】
上述した本発明の第１実施形態による洗浄水供給装置２２によれば、水洗大便器１の洗浄に使用する洗浄水量の節水化を行うために貯水タンク１８内の止水水位ＷＬ１と死水水位ＤＷＬとの高低差Ｈを比較的小さく設定したとしても、小タンク３４について、その鉛直方向の最大長さｈが水平方向（長手方向）の最大長さｌよりも所定量長くなるような概ね縦長の扁平形状や、立方形状等の非扁平形状の小タンクに比べ、小タンク３４内の水位の高低差による小タンク３４の上下動を安定化させることができる。したがって、小タンク３４内の洗浄水を安定して排出することができ、信頼性のある洗浄水供給装置２２を提供することができる。
また、小タンク３４が概ね横長の扁平形状であるために、給水管３０から貯水タンク１８への給水後に小タンク３４内の水位高さを確保できず、小タンク３４内の水位によるフロート３８を上昇させる浮力が得られにくい状況下であっても、給水バルブ３２の弁体３２ｃが、図６の水平方向に開口する給水路形成部材４６の弁座４６ｃに対して水平方向に開閉可能に取り付けられ、給水管３０の上方の通水路形成部材４６の側方に設けられているため、給水バルブ３２の近傍の支点Ｐから揺動部材４０とフロート３８との力点Ｑまでの距離（Ｌ１）を十分に確保することができる。したがって、この距離（Ｌ１）と、給水バルブ３２の近傍の支点Ｐから揺動部材４０と給水バルブ３２との作用点Ｒまでの距離（Ｌ２）との比（てこ比Ｌ１／Ｌ２）を所定値以上に設定することができ、小タンク３４内の水位によるフロート３８を上昇させる浮力が比較的小さく、揺動部材４０とフロート３８との接続部（力点）に作用する力が比較的小さくても、揺動部材４０が給水バルブ３２の近傍の支点Ｐを中心に容易に揺動し、給水バルブ３２を迅速に閉弁させることができる。さらに、貯水タンク１８内の止水水位ＷＬ１と死水水位ＤＷＬとの高低差Ｈをより小さく設定することができ、水洗大便器１の洗浄に要する洗浄水量をより少なく設定することができる。
【００５５】
また、本実施形態による洗浄水供給装置２２によれば、逆止弁３６自体が水よりも比重が小さい材料（例えば、樹脂材料）で形成されているため、貯水タンク１８内の洗浄水の水位に応じて安定して上下動することができ、小タンク３４の小穴３４ｂを安定して開閉することができる。また、逆止弁３６が中実に形成されているため、逆止弁３６を上昇させる浮力を生じさせる空気を溜めるスペースが不要となるため、逆止弁３６の上下方向の大きさを抑制することができる。さらに、貯水タンク１８の水位が水位ＷＬ２よりも上昇したときには、逆止弁３６が浮力により小タンク３４の小穴３４ｂ及び取付穴３４ｃを迅速に閉鎖し、貯水タンク１８の水位が小タンク３４の上縁３４ｄを乗り越えて洗浄水が小タンク３４内に流入する直前まで小タンク３４内を空室にしてフロート３８を下降させた状態にすることができる。また、洗浄水が小タンク３４の上縁３４ｄを乗り越えて洗浄水が小タンク３４内に流入したときに、フロート３８を迅速に上昇させて給水バルブ３２を速やかに止水することができる。
【００５６】
さらに、本実施形態による洗浄水供給装置２２によれば、小タンク３４の底面３４ａの逆止弁取付用の取付穴３４ｃ以外にも、小タンク３４内の洗浄水を排出するための小穴３４ｂが形成されているため、小タンク３４内の洗浄水を小穴３４ｂ及び取付穴３４ｃから速やかに流出させることができ、小タンク３４の底面３４ａに小穴３４ｂが形成されていないものに比べて、小穴３４ｂ及び取付穴３４ｃを開放するための逆止弁３６の移動距離を小さくすることができ、逆止弁３６が僅かに下降するだけで小タンク３４内の洗浄水を安定して排出することができる。したがって、信頼性のある洗浄水供給装置２２を提供することができる。
【００５７】
また、本実施形態による洗浄水供給装置２２によれば、貯水タンク１８に取り付けた状態の給水管３０の側方に小タンク３４を着脱可能に取り付けることができるため、容積が異なる小タンク３４を複数用意し、貯水タンク１８内の洗浄水量に合わせた小タンクに付け替えることができるため、小タンク３４内の洗浄水を安定して排出することができ、信頼性のある洗浄水供給装置２２を提供することができる。
【００５８】
さらに、本実施形態による洗浄水供給装置２２によれば、小タンク３４を給水管３０に取り付ける際には、給水管３０の凸部５２の下端よりも下方に位置し且つ凸部５２が形成されていない給水管３０の区間（図４に示す貯水タンク１８の底面１８ａから所定高さａよりも下方の給水管３０の区間）において、小タンク３４の嵌合部５４を給水管３０の外周のほぼ半分を取り囲むように給水管３０に嵌合させ、給水管３０の凸部５２のほぼ真下に小タンク３４の凹部５６のそれぞれを配置させた後、小タンク３４を上方に持ち上げることにより、給水管３０の凸部５２と小タンク３４の嵌合部５４の凹部５６とが互いに嵌合して小タンク３４を給水管３０に着脱可能に取り付けることができる。したがって、給水管３０の凸部５２と小タンク３４の嵌合部５４の凹部５６による簡単な構造で貯水タンク１８内の洗浄水量に合わせた小タンク３４に取り替えることができる。この結果、小タンク３４内の洗浄水を安定して排出することができ、信頼性のある洗浄水供給装置２２を提供することができる。
【００５９】
また、本実施形態による洗浄水供給装置２２によれば、小タンク３４を給水管３０に嵌合させた状態で給水管３０の側面（外周面）３０ｄを部分的に取り囲むように形成することにより、小タンク３４の鉛直方向の高さを低く設定することができると共に、給水管３０に着脱可能に取り付けることができる。また、小タンク３４の鉛直方向の高さを低く設定して、小タンク３４の鉛直方向の最大長さｈが水平方向の最大長さｌよりも所定量短くなるような扁平形状にするだけでは、小タンク３４内の水位の高さが相対的に低くなるため、フロート３８の浮力が得られにくくなるが、小タンク３４内の形状を平面視で概ねコの字状に形成すると共に、フロート３８を小タンク３４内の形状に合わせるように形成することにより、フロート３８の浮力発生部３８ｂの受圧面積を大きくして浮力を増すことができる。したがって、フロート３８を安定して上昇させて給水バルブ３２を安定して止水することができ、信頼性のある洗浄水供給装置２２を提供することができる。
【００６０】
つぎに、図１４〜図１６を参照して、本発明の第２実施形態による洗浄水供給装置について説明する。
図１４は本発明の第２実施形態による洗浄水供給装置の小タンクにおける図１１と同様な断面図であり、図１５は本発明の第２実施形態による洗浄水供給装置の逆止弁を示す平面図であり、図１６は本発明の第２実施形態による洗浄水供給装置の逆止弁を示す正面断面図である。
なお、図１４〜図１６において、上述した本発明の第１実施形態による洗浄水供給装置の部分と同一部分については同一の符号を付し、これらの説明は省略する。
【００６１】
まず、本発明の第２実施形態による洗浄水供給装置においては、小タンクと逆止弁の構成のみが上述した本発明の第１実施形態による洗浄水供給装置の小タンクと逆止弁の構成と異なっており、その他の部分については第１実施形態と同一の構成であるため、以下、第１実施形態と異なる小タンクと逆止弁のみについて説明する。
【００６２】
図１４に示すように、本発明の第２実施形態による洗浄水供給装置１２２の小タンク１３４においては、上述した本発明の第１実施形態による洗浄水供給装置の小タンク３４の底面３４ａの小穴３４ｂに相当するものが形成されていない。
また、図１５及び図１６に示すように、本発明の第２実施形態による洗浄水供給装置１２２の逆止弁１３６においては、弁部３６ａのほぼ中央部分に上下方向に貫く小穴１５８が形成されている。
【００６３】
上述した本発明の第２実施形態による洗浄水供給装置１２２によれば、小タンク１３４内から逆止弁１３６の取付穴３４ｃを流出した洗浄水が、逆止弁１３６の小穴１５８からも速やかに流出させることができるため、逆止弁１３６に小穴１５８が形成されていないものに比べて、逆止弁１３６の取付穴３４ｃ及び小穴１５８を開放するための逆止弁１３６の移動距離を小さくすることができ、逆止弁１３６が僅かに下降するだけで小タンク１３４内の洗浄水を安定して排出することができる。したがって、信頼性のある洗浄水供給装置１２２を提供することができる。
【００６４】
つぎに、図１７を参照して、本発明の第３実施形態による洗浄水供給装置について説明する。
図１７は、本発明の第３実施形態による洗浄水供給装置において給水管と小フロートとの嵌合部を拡大した図９と同様な部分拡大断面図である。
なお、図１７において、図９に示す本発明の第１実施形態による洗浄水供給装置の部分と同一部分については同一の符号を付し、これらの説明は省略する。
【００６５】
図１７に示すように、本発明の第３実施形態による洗浄水供給装置２２２においては、給水管３０が、その側面３０ｄに等間隔を置いて一体に形成されて外側に突出する４つの凹部２５２を備え、各凹部２５２は、給水管３０における貯水タンク１８の底面１８ａから所定高さａの位置から給水管３０の上端部まで上下方向に延びるように形成されている。
【００６６】
また、図１７に示すように、小タンク２３４は、給水管３０の側面３０ｄの凹部２５２に嵌合可能に形成された嵌合部２５４を備えている。この嵌合部２５４は、概ね半円筒状に形成され、小タンク２３４を給水管３０の側面３０ｄに取り付けた際に、給水管３０の側面３０ｄのほぼ半周部分を取り囲む嵌合部２５４のコの字状の面５４ａにおける給水管３０の側面３０ｄの凹部２５２と対向する位置には、給水管３０の凹部２５２と嵌合可能に内側に突出して上下方向に延びる凸部２５６が形成されている。
【００６７】
上述した本発明の第３実施形態による洗浄水供給装置２２２によれば、小タンク２３４を給水管３０に嵌合させる際に、小タンク２３４を給水管３０における貯水タンク１８の底面１８ａから所定高さａの位置よりも下方且つ側方から給水管３０に取り付けて上方へ持ち上げることにより、給水管３０の凹部２５２と小タンク２３４の嵌合部２５４の凸部２５６とが互いに嵌合することができるため、簡単な構造で貯水タンク１８内の洗浄水量に合わせた小タンク２３４に取り替えることができる。したがって、小タンク２３４内の洗浄水を安定して排出することができ、信頼性のある洗浄水供給装置２２２を提供することができる。
【符号の説明】
【００６８】
１      水洗大便器
２      便器本体
４      ボウル部
６      トラップ管路
６ａ    排水トラップ管路の入口
８      リム
１０      第１吐水口
１２      溜水部
１４      第２吐水口
１６      洗浄水タンク装置
１８      貯水タンク
１８ａ    貯水タンクの底面
２０      排水口
２２      洗浄水供給装置
２４      排水弁装置
２６      操作レバー
２８      操作ワイヤ
３０      給水管
３０ａ    １次側給水路
３０ｂ    ２次側給水路
３０ｃ    ２次側給水路の流出口
３０ｄ    給水管の側面
３２      給水バルブ（給水弁）
３２ａ    バルブハウジング
３２ｂ    ダイアフラム
３２ｃ    弁体
３２ｄ    ブリード穴
３２ｅ    背圧室
３２ｆ    パイロット穴
３４      小タンク（貯水部）
３４ａ    底面
３４ｂ    小穴
３４ｃ    取付穴（開口）
３４ｄ    小タンクの上縁
３６      逆止弁（開閉弁）
３６ａ    弁部
３６ｂ    支持部
３８      フロート
３８ａ    取付穴
３８ｂ    浮力発生部
４０      揺動部材
４０ａ    弁部材
４２      固定軸部材
４４      調整用軸部材
４６      給水路形成部材
４６ａ    一次側給水路
４６ｂ    二次側給水路
４６ｃ    弁座
４８      フィルター部材
５０      補給水用のハウジング
５０ａ    補給水管
５２      給水管の凸部
５４      小タンクの嵌合部
５４ａ    小タンクの嵌合部のコの字状の面
５６      小タンクの凹部
【図１】
0005831703.tif 000002
【図２】
0005831703.tif 000003
【図３】
0005831703.tif 000004
【図４】
0005831703.tif 000005
【図５】
0005831703.tif 000006
【図６】
0005831703.tif 000007
【図７】
0005831703.tif 000008
【図８】
0005831703.tif 000009
【図９】
0005831703.tif 000010
【図１０】
0005831703.tif 000011
【図１１】
0005831703.tif 000012
【図１２】
0005831703.tif 000013
【図１３】
0005831703.tif 000014
【図１４】
0005831703.tif 000015
【図１５】
0005831703.tif 000016
【図１６】
0005831703.tif 000017
【図１７】
0005831703.tif 000018